(57)【特許請求の範囲】
【請求項１】
地中に取り残された残置杭の上部に嵌装可能なガイド用鋼管と、
鋼矢板の先端部に短尺のケーシング管を固着し、このケーシング管の上端部外周と鋼矢板に、鋼線を半円形に曲げ成形した保持部材を一定間隔で複数取り付けた先端ケーシングと、
前記保持部材の半円形穴を通って前記ケーシング管の外周に巻き付けた台付けワイヤーロープとを備えたことを特徴とする残置杭の引抜き装置。
【請求項２】
請求項１に記載の残置杭の引抜き装置を用いた残置杭の引抜き工法であって、
上杭を抜き取った穴を通してガイド用鋼管を吊り降ろし、ガイド用鋼管の先端部を地中に取り残された残置杭の上部に嵌装する工程と、
先端ケーシングの保持部材の半円形穴を通して台付けワイヤーロープの先端部をケーシング管の外周に巻き付ける工程と、
ケーシング管をガイド用鋼管の上部に嵌装し、先端ケーシングをガイド用鋼管に沿って残置杭の上部が一定長さだけケーシング管から突出するまで先端ケーシングを打ち込む工程と、
台付けワイヤーロープを巻上げ、台付けワイヤーロープにより保持部材を引き剥がし、台付けワイヤーロープの先端部を残置杭の上部外周に巻き付ける工程と、
台付けワイヤーロープの巻き上げおよび先端ケーシングの引き上げにより、先端ケーシングおよびガイド用鋼管と共に残置杭を地上に取り出す工程とを有することを特徴とする残置杭の引抜き工法。
【発明の詳細な説明】
【０００１】
【発明の属する技術分野】
本発明は、地中に取り残された残置杭の引抜きに使用する残置杭の引抜き装置と残置杭の引抜き装置を用いて行う残置杭の引抜き工法に関するものである。
【０００２】
【従来の技術】
最近、都市における再開発のために、地中の既存杭を撤去する工事が増加している。この既存杭の撤去工法には、ケーシングドライバー等を使用して杭を破砕する「破砕工法」と、杭と地盤の摩擦を縁切りして杭を引き抜く「引抜き工法」がある。一般的に、破砕工法は重機使用料が高いので短尺物の単杭の撤去に用いられ、長尺物の継ぎ杭の撤去には、引抜き工法が適用されている。
【０００３】
この引抜き工法は次のように行われる。▲１▼先ず、バックホーで掘削して杭頭部を露出させる。▲２▼クレーン車の第１巻上げワイヤーロープにバイブロハンマーを取付け、先端ケーシングをバイブロハンマーに取り付ける。ここで、先端ケーシングとは、鋼矢板の先端部にケーシングを取り付けたものをいう。▲３▼先端ケーシングを杭頭部にセットする。▲４▼バイブロハンマーにより先端ケーシングを杭の先端まで打ち込み、杭と地盤の摩擦を縁切りする。第１巻上げワイヤーロープを巻上げて先端ケーシングを引き上げ、先端ケーシングを取り外す。▲５▼杭頭部に台付けワイヤーを巻き付け、第２巻上げワイヤーロープのフックに台付けワイヤーを取付け、第２巻上げワイヤーロープを巻き上げて杭を引き抜く。
【０００４】
しかし、地中にある既存杭（継ぎ杭）の長さが正確に分からない場合があり、地盤との摩擦縁切り（前記▲４▼工程）が既存杭の全長に亘って実施されず、杭の下部に摩擦縁切りされない部分が生じることがある。また、現場で行う杭の溶接接合部に欠陥が生じることがある。
【０００５】
このため、長尺物の継ぎ杭を引き抜く際、摩擦縁切りされない部分の存在や杭接合部の溶接欠陥等が原因して、杭引抜き時に溶接部が破断して、下杭が地中に取り残されてしまう場合がしばしば発生する。図８は、下杭が地中に取り残される状況を示している。図において、１はクレーン車、２は第１巻上げワイヤーロープ、３は第２巻上げワイヤーロープ、５は台付けワイヤー、６は引き抜かれた上杭、７は地中に取り残された下杭（残置杭という）、ａは摩擦縁切りされない部分である。
【０００６】
【発明が解決しようとする課題】
地中に取り残された残置杭を撤去する場合、新たに、ケーシングドライバーを現場に導入し、破砕工法で撤去することが多い。しかし、このケーシングドライバーを導入して行う方法は、それだけ工事費用を増加させ、また工期が長くなるという問題がある。
【０００７】
本発明は、ケーシングドライバーを使用しないで残置杭を引き抜くための残置杭の引抜き装置およびこの残置杭の引抜き装置を用いて行う残置杭の引抜き工法を提供することを目的とする。
【０００８】
【課題を解決するための手段】
本発明は上記目的を以下の残置杭の引抜き装置および工法によって達成する。
【０００９】
請求項１の残置杭の引抜き装置は、地中に取り残された残置杭の上部に嵌装可能なガイド用鋼管と、鋼矢板の先端部に短尺のケーシング管を固着し、このケーシング管の上端部外周と鋼矢板に、鋼線を半円形に曲げ成形した保持部材を一定間隔で複数取り付けた先端ケーシングと、前記保持部材の半円形穴を通って前記ケーシング管の外周に巻き付けた台付けワイヤーロープとを備えたものである。
【００１０】
この残置杭の引抜き装置によれば、台付けワイヤーロープの先端部を保持部材の半円形穴を通してケーシング管の外周に巻き付け、先端ケーシングを残置杭の上部が一定長さだけケーシング管から突出するまで打ち込み、台付けワイヤーロープを巻き上げれば、台付けワイヤーロープが保持部材を引き剥がして、台付けワイヤーロープの先端部が上方に移動し、残置杭の上部に堅く巻き付く。残置杭の上部に巻き付いた台付けワイヤーロープを巻き上げることにより残置杭を地上に取り出すことができる。なお、先端ケーシングは地上に取り出した後、ケーシング管の保持部材を取替えることにより、再使用することができる。
【００１１】
請求項２の工法は、請求項１に記載の残置杭の引抜き装置を用いた残置杭の引抜き工法であって、上杭を抜き取った穴を通してガイド用鋼管を吊り降ろし、ガイド用鋼管の先端部を地中に取り残された残置杭の上部に嵌装する工程と、先端ケーシングの保持部材の半円形穴を通して台付けワイヤーロープの先端部をケーシング管の外周に巻き付ける工程と、ケーシング管をガイド用鋼管の上部に嵌装し、先端ケーシングをガイド用鋼管に沿って残置杭の上部が一定長さだけケーシング管から突出するまで先端ケーシングを打ち込む工程と、台付けワイヤーロープを巻上げ、台付けワイヤーロープにより保持部材を引き剥がし、台付けワイヤーロープの先端部を残置杭の上部外周に巻き付ける工程と、台付けワイヤーロープの巻き上げおよび先端ケーシングの引き上げにより、先端ケーシングおよびガイド用鋼管と共に残置杭を地上に取り出す工程とを有する残置杭の引抜き工法である。
【００１２】
この工法によれば、先端ケーシングおよびガイド用鋼管を使用するだけで、従来の引抜き工法に使用するクレーン車を使って残置杭を地上に取り出すことができる。
【００１３】
【発明の実施の形態】
本発明の実施の形態を図面に基づいて以下に説明する。図１は、本発明に係る残置杭引抜きに使用する先端ケーシングの斜視図、図２は、図１のＡ−Ａ断面図である。図において、先端ケーシング１０は、鋼矢板１１、鋼矢板１１の先端に固着したケーシング管１２および、台付けワイヤーロープ１４を保持する保持部材１３から構成されている。
【００１４】
鋼矢板１１は、土留め、締切り、構造物の基礎等に使用するＵ形鋼矢板が使用される。鋼矢板１１の先端部に短尺の鋼管製ケーシング管１２が固着されている。ケーシング管１２の上端部の外周および鋼矢板１１に一定間隔で台付けワイヤーロープの保持部材１３が取付けられている。この保持部材１３は半円形に曲げた細径の鋼線で、その両端をケーシング管１２と鋼矢板１１に溶接して取付けてある。
【００１５】
次に、上述の先端ケーシング１０を使用して行う残置杭の引抜き工法を、図３〜図７により説明する。
（１）先ず、鋼管２１の先端に図４および図５に示す先が尖った先端部材２２を取付けたガイド用鋼管２０の後端を、クレーン車１の第１巻上げワイヤーロープ２で吊り下げたバイブロハンマー４に取り付ける：図３参照。
（２）第１巻上げワイヤーロープ２を巻下げて、ガイド用鋼管２０を上杭の抜き取った穴８を通して吊り降ろし、ガイド用鋼管の先端部材２２を、地中に残された残置杭７の上部に嵌合させる：図３参照。
（３）図１および図２に示すように、台付けワイヤーロープ１４の先端部を先端ケーシング１０のケーシング管１２の保持部材１３で形成された半円形穴を通し、台付けワイヤーロープ１４の後端を先端の係合輪（蛇口）を通してケーシング管１２の外周に巻き付ける。台付けワイヤーロープ１４の後端をクレーン車の第２巻上げワイヤーロープ３のフックに掛ける。また、先端ケーシング１０の後端部を第１巻上げワイヤーロープ２のバイブロハンマー４に取り付ける。
（４）第１巻上げワイヤーロープ２および第２巻上げワイヤーロープ３を同時に巻上げ、先端ケーシングのケーシング管１２をガイド用鋼管２０の後端上に位置させた後、第１巻上げワイヤーロープ２および第２巻上げワイヤーロープ３を若干巻下げて、ケーシング管１２をガイド用鋼管２０の後端部に嵌装させる。
（５）バイブロハンマー４を作動させ、第１巻上げワイヤーロープ２および第２巻上げワイヤーロープ３を巻下げつつ、ガイド用鋼管２０をガイドとして先端ケーシング１０を地中に打ち込んで行く。残置杭７の上端部がケーシング管１２から所定長さ突出するまで先端ケーシング１０を打ち込む：図６、図７参照。
（７）第２巻上げワイヤーロープ３を一定長さ巻き上げると、ケーシング管１２に巻き付けられた台付けワイヤーロープ１４の先端部が保持部材１３を引き剥がして上昇し、引き絞られながら残置杭７の上端部に堅く巻き付き、残置杭７の引抜きが始まる：図７参照。
（８）第１巻上げワイヤーロープ２と第２巻上げワイヤーロープ３を巻き上げると、第１巻上げワイヤーロープ２により先端ケーシング１０が、第２巻上げワイヤーロープ３により残置杭７およびガイド用鋼管２０が引き上げられる。これにより、先端ケーシング１０およびガイド用鋼管２０と共に残置杭７を地上に取り出すことができる。
【００１６】
【発明の効果】
本発明により、以下の効果が得られる。
【００１７】
請求項１の残置杭の引抜き装置によれば、ケーシング管に巻き付けた台付けワイヤーロープを残置杭の上部に移動させ堅く巻き付けることができるから、台付けワイヤーロープの巻上げにより残置杭を地上に取り出すことができる。また、地上に引き上げた先端ケーシングの保持部材を取り替えれば、先端ケーシングを再使用することができる。
【００１８】
請求項２の工法によれば、先端ケーシングおよびガイド用鋼管を使用するだけで、従来の引抜き工法に使用するクレーン車を使って残置杭を地上に取り出すことができる。
【図面の簡単な説明】
【図１】本発明に係る残置杭引抜きに使用する先端ケーシングの斜視図である。
【図２】図１のＡ−Ａ断面図である。
【図３】上杭を抜き取った穴にクレーン車でガイド用鋼管を吊り降ろしている状態を示す図である。
【図４】ガイド用鋼管の先端部の正面図である。
【図５】図４のＡ−Ａ断面図である。
【図６】ケーシング管から残置杭の上部が突出するまで先端ケーシングを打ち込んだ状態を示す図である。
【図７】ケーシング管に巻き付けた台付けワイヤーロープの先端部を移動して残置杭の上部に巻き付けた状態を示す図である。
【図８】下杭が地中に取り残される状況を示す図である。
【符号の説明】
１  クレーン車
２  第１巻上げワイヤーロープ
３  第２巻上げワイヤーロープ
４  バイブロハンマー
５  台付けワイヤ
６  上杭
７  下杭（残置杭）
１０  先端ケーシング
１１  鋼矢板
１２  ケーシング管
１３  保持部材
１４  台付けワイヤーロープ
２０  ガイド用鋼管
２１  鋼管
２２  先端部材
【図１】
0003697576.tif 000002
【図２】
0003697576.tif 000003
【図３】
0003697576.tif 000004
【図４】
0003697576.tif 000005
【図５】
0003697576.tif 000006
【図６】
0003697576.tif 000007
【図７】
0003697576.tif 000008
【図８】
0003697576.tif 000009